(57)【特許請求の範囲】
【請求項１】
隣接する二つの住戸の中間部分に各階床間を連結する階段室が備えられ、該階段室には屈折階段が設けられ、該屈折階段の踊り場が各階床との中間位置に設けられ、かつ該踊り場が建物の外周側に配置される既存の集合住宅に設置されるエレベータ設備であって、
建物の外面の前記階段室に対応する部分に連絡通路を介して連結される中空柱状のエレベータシャフトと、該エレベータシャフトの内部に昇降可能に設けられるとともに、床面が前記階段室の前記踊り場と同じ高さになる位置で停止するように設定されるケージと、前記エレベータシャフトの一側面の前記ケージの停止位置に対応した部分にそれぞれ設けられる開口と、該各開口にそれぞれ設けられる扉とを備え、
前記連絡通路は、前記階段室の各踊り場と前記エレベータシャフトの各開口との間にそれぞれ設けられるとともに、建物に沿う方向の両側部が開放されて採光可能に構成され、
さらに、前記ケージがその床面が前記階段室の前記踊り場と同じ高さになる位置で停止したときに、前記エレベータシャフトの扉の正面に前記屈折階段の下り側の階段が位置しないように、前記エレベータシャフトの一側面と前記建物の外面とのなす角度が設定されており、
前記建物の外面の各住戸に対応する部分にはそれぞれ窓が設けられるとともに、前記階段室と各住戸とを区画する外壁の一部には各住戸用の玄関扉がそれぞれ設けられ、前記エレベータシャフトの一側面と前記建物の外面とのなす角度は、前記エレベータシャフトの扉と前記窓及び前記玄関扉とが正対しない角度に設定されていることを特徴とするエレベータ設備。
【発明の詳細な説明】
【０００１】
【発明の属する技術分野】
本発明は、建物の階段室に連結されるエレベータ設備に関する。
【０００２】
【従来の技術】
従来、建物に連結されるエレベータ設備の一例として、例えば３〜５階建ての中低層集合住宅に増設され、隣接する二つの住戸の中間部分に備えられた階段室に対面させたエレベータ設備が知られている。
【０００３】
このエレベータ設備は、建物の外周側に臨まされた階段室の外側面を取り除いて開放し、その開放された部分をエレベータ設備の扉が備えられる側面で覆うとともに建物に連結されている。そして、エレベータ設備の外壁は建物の外壁と連結されて一体となった外壁面が形成されている。
【０００４】
【発明が解決しようとする課題】
ところで、上記のような階段室が外周側に臨まされる建物の場合には、その階段室の外壁面に開口を設け、その開口から階段室に採光することが一般的である。
【０００５】
しかしながら、上記従来のエレベータ設備を設置する場合には、開口が設けられた階段室の外側面はエレベータ設備によって覆われてしまう。さらに、建物の外壁とエレベータ設備の外壁とは連結されているので、階段室にもエレベータ設備の周辺にも採光することができない。
【０００６】
したがって、階段利用者にとっては、足元が見え辛く階段を昇降することが困難であった。また、この階段室とエレベータ設備との間は、建物とエレベータ設備との連絡通路ともなるので、エレベータ設備の利用者にとっても同様に利用し辛く、新たに照明設備を設置することが余儀なくされていた。
【０００７】
また、譬え照明設備を設置したとしても、階段室やエレベータ設備の周辺が閉ざされた空間となることに変わりはなく、この建物を利用する者の開放感が損なわれてしまう。
【０００８】
さらに、この建物が集合住宅等の場合には、住戸の窓や玄関扉とエレベータ設備の扉とが対向してしまう虞があり、エレベータ設備の利用者から住戸内が見えるため住民のプライバシーが守られないとともに、エレベータ設備の利用者もその対応に困惑してしまうという課題があった。
【０００９】
そこで、本発明はかかる従来の課題に鑑みて成されたもので、建物の階段室とエレベータ設備との間の採光を確保するとともに、建物利用者の開放感を維持し、快適に使用することができるエレベータ設備を提供することを目的とする。
【００１０】
【課題を解決するための手段】
上記のような課題を解決するために、本発明は、隣接する二つの住戸の中間部分に各階床間を連結する階段室が備えられ、該階段室には屈折階段が設けられ、該屈折階段の踊り場が各階床との中間位置に設けられ、かつ該踊り場が建物の外周側に配置される既存の集合住宅に設置されるエレベータ設備であって、建物の外面の前記階段室に対応する部分に連絡通路を介して連結される中空柱状のエレベータシャフトと、該エレベータシャフトの内部に昇降可能に設けられるとともに、床面が前記階段室の前記踊り場と同じ高さになる位置で停止するように設定されるケージと、前記エレベータシャフトの一側面の前記ケージの停止位置に対応した部分にそれぞれ設けられる開口と、該各開口にそれぞれ設けられる扉とを備え、前記連絡通路は、前記階段室の各踊り場と前記エレベータシャフトの各開口との間にそれぞれ設けられるとともに、建物に沿う方向の両側部が開放されて採光可能に構成され、さらに、前記ケージがその床面が前記階段室の前記踊り場と同じ高さになる位置で停止したときに、前記エレベータシャフトの扉の正面に前記屈折階段の下り側の階段が位置しないように、前記エレベータシャフトの一側面と前記建物の外面とのなす角度が設定されている。
【００１１】
本発明のエレベータ設備によれば、建物とエレベータシャフトとを連結する連絡通路は、建物の階段室の各踊り場とエレベータシャフトの各開口との間にそれぞれ設けられるとともに、建物に沿う方向の両側部が開放されて採光可能に構成されているので、開放された部分から階段室およびエレベータシャフトの周辺に採光することができることになる。従って、階段利用者やエレベータ設備の利用者の足元を明るくすることができるので、階段利用者にとっては階段が昇降しやすくなり、エレベータ設備の利用者にとってはエレベータ設備を不自由なく利用することができる。また、エレベータ設備の扉前面やその近傍に備えられる操作パネルが陰になって操作性が悪化するようなことはなく、操作パネルの操作性を高めることができる。さらに、エレベータ設備と階段室とを対面させて間隔を隔てて採光する場合と比較して、エレベータ設備を設置するための専用面積を狭くすることができるので、限られた敷地を有効に活用することができる。
【００１２】
また、ケージがその床面が階段室の踊り場と同じ高さになる位置で停止したときに、エレベータシャフトの扉の正面に屈折階段の下り側の階段が位置しないように、エレベータシャフトの一側面と建物の外面とのなす角度が設定され、車椅子に乗った利用者やベビーカー等が誤って飛び出しても必ず停止するように配慮されているので、車椅子に乗った利用者やベビーカーを押す利用者などが安心して利用できる。
【００１３】
また、本発明は、前記建物の外面の各住戸に対応する部分にはそれぞれ窓が設けられるとともに、前記階段室と各住戸とを区画する外壁の一部には各住戸用の玄関扉がそれぞれ設けられ、前記エレベータシャフトの一側面と前記建物の外面とのなす角度は、前記エレベータシャフトの扉と前記窓及び前記玄関扉とが正対しない角度に設定されていることを特徴とする。
【００１４】
本発明のエレベータ設備によれば、エレベータシャフトの一側面と建物の外面とのなす角度は、エレベータシャフトの扉と窓及び玄関扉とが正対しない角度に設定されているので、エレベータ設備の利用者に居室内を見られるようなことはなく、居室使用者のプライバシーを守ることができる。また、エレベータ設備の利用者が、居室内の使用者と目を合わせて対応に困惑するようなこともなく、快適に利用することができる。
【００１５】
【発明の実施の形態】
以下、本発明の実施形態を添付図面を参照して詳細に説明する。図１〜３は本発明にかかるエレベータ設備の一実施形態を示し、図１は本実施形態におけるエレベータ設備の建物に対する配置を示す平断面図、図２は図１のＡ−Ａ断面図、図３は本実施形態の外観を示す概念図である。
【００１６】
本発明にかかるエレベータ設備１０は、並設される建物が５階建ての既存の集合住宅１２でなり、この集合住宅１２に備えられて各階床１２ａ間を連絡する階段室１４に連結されている。
【００１７】
上記集合住宅１２には、隣接する二つの住戸１６の中間部分に階段室１４が備えられ、この階段室１４には屈折階段１４ａが設けられ、この屈折階段１４ａの踊り場１８が各階床１２ａとの中間位置に設けられている。そして、各踊り場１８は集合住宅１２の外周側に配置されている。
【００１８】
上記エレベータ設備１０は、四角柱状をなすエレベータシャフト１０ａと、その内部で昇降されるケージ１０ｅと、このケージ１０ｅを昇降させる昇降手段とで構成されている。上記エレベータシャフト１０ａはその空間を形成するフレーム部材に外装壁をなす膜体が張り付けられて１体化され、中空柱状に形成されている。
【００１９】
そして上記ケージ１０ｅは、その床面１０ｆが上記階段室１４の１階床面１４ｂ、２階と３階との間の踊り場１８ａ、３階と４階との間の踊り場１８ｂおよび４階と５階との間の踊り場１８ｃとそれぞれ同じ高さになる位置で停止するように設定されている。
【００２０】
また、上記エレベータシャフト１０ａには、ケージ１０ｅの上記停止位置に対応させて、ケージ１０ｅの扉と同じ大きさの開口１０ｂが形成され、それぞれ扉１０ｄが設けられ、さらにこの開口１０ｂの側方には操作パネルが備えられている。
【００２１】
そして、このエレベータシャフト１０ａは、その扉１０ｄが設けられた一側面１０ｃが、既存の集合住宅１２側に向けられるとともに、その側面１０ｃと、エレベータ設備１０が連結される連結面をなす踊り場１８側の外面１２ｃとが水平断面において所定の角度αをなして配置されている。即ち、エレベータ設備１０と集合住宅１２とはそれらの間隔が、集合住宅１２の外面１２ｃに沿う一方向に向かって順次広がるように配置されて、エレベータ設備１０と集合住宅１２との間がその一方向に向かって大きく開放されている。
【００２２】
このとき、建物５の外面１２ｃの各住戸１６に対応する部分にはそれぞれ窓１６ａが設けられるとともに、階段室１４と各住戸１６とを区画する外壁１６ｃの一部には各住戸１６用の玄関扉１６ｂがそれぞれ設けられ、エレベータシャフト１０ａの一側面１０ｃと建物５の外面１２ｃとのなす角度αは、エレベータシャフト１０ａの扉１０ｄと窓１６ａ及び玄関扉１６ｂとが正対しない角度に設定されている。さらに、その角度αは、エレベータシャフト１０ａの扉１０ｄの正面に、下り側階段が位置しないような角度に設定されて、車椅子に乗った利用者やベビーカー等が誤って飛び出しても必ず停止するように配慮されているので、車椅子に乗った利用者やベビーカーを押す利用者などが安心して利用できる。
【００２３】
そして、上記エレベータシャフト１０ａと集合住宅１２とは、ケージ１０ｅの停止位置においてケージ床面１０ｆと、上記階段室１４の２階と３階との間の踊り場１８ａ、３階と４階との間の踊り場１８ｂおよび４階と５階との間の踊り場１８ｃとを中継する連絡通路２０で連結され、上記踊り場１８側の外面１２ｃに形成された入出口１８ｄを通って、エレベータ設備１０と集合住宅１２とを往来可能に形成されている。また、この入出口１８ｄは、階段室１４内に外部から十分採光できるように大きく開口されている。
【００２４】
また、最上に位置する連絡通路２０ａの上部には天井部２２が設けられている。そして、連絡通路２０および天井部２２は、上記エレベータシャフト１０ａに一体に固設され、集合住宅１２側の取り合い部分は、地震などによるエレベータ設備１０と集合住宅１２との相対変位を許容するために、エキスパンションジョイントによって連結されている。
【００２５】
また、これら連絡通路２０の両側部には、上下に位置する連絡通路２０同士または天井部２２とその直下に位置する連絡通路２０ａとを連結して強度を確保するブレース２４が備えられるとともに、柵状の手摺り２６が備えられて通行人の安全が確保されている。即ち、連絡通路２０は両側部に外壁が設けられることなく、開放されて採光を遮る物が無いように形成されている。
【００２６】
以上の構成による本実施形態によれば、集合住宅１２とエレベータ設備１０との間は開放されているので、エレベータ設備１０に乗降する扉１０ｄの前および連絡通路２０に十分採光することができる。また、階段室１４には上記連絡通路２０と集合住宅１２とを往来するための入出口１８ｄが、採光するのに十分な大きさを備えて設けられているため、階段室１４も十分に光を取り込むことができる。よって、階段利用者は足元が明るいので階段を昇降しやすく、またエレベータ設備１０の周辺も明るいので、その利用者も不自由なく利用することができる。
【００２７】
また、階段室１４やエレベータ設備１０の周辺からも建物の外方が見えるので、利用者の開放感を維持させることができる。
【００２８】
特に、エレベータ設備１０の側面が上記集合住宅１２の外面１２ｃに対し水平断面において所定の角度αをなすことによって、集合住宅１２とエレベータ設備１０との間を開放させている。よって、エレベータ設備１０の扉１０ｄ側に向かう光を取り込むことができるため、扉１０ｄ前面や操作パネルが陰にならず操作性が良く、かつ、エレベータ設備１０と階段室１４とを対面させつつ単に間隔を隔てて採光する場合と比較して、その専有面積を狭くすることができるので、限られた敷地を有効に活用して効率良く採光することができる。
【００２９】
さらに、エレベータ設備１０を上記外面１２ｃに対して角度αを付けて配置したことによって、エレベータ設備１０前の間口が広がり、エレベータ設備１０に乗り込む人が、そこから降りる人を先に通すための退避スペースを十分確保することができ、乗降をスムーズに行うことができる。
【００３０】
そして、エレベータ設備１０の扉１０ｄと住戸１６の窓１６ａおよび玄関扉１６ｂとが対向しないように配置したので、エレベータ設備１０の利用者に住戸１６内を見られることなく住民のプライバシーが守られる。また、エレベータ設備１２利用者が、住戸１６内の住民と目を合わせて対応に困惑することもなく快適に利用することができる。
【００３１】
上記実施形態においては、建物を隣接する二つの住戸１６の中間部分に階段室１４が備えられた既存の集合住宅１２としたが、これに限らず図４に例示すような配置の集合住宅１２であっても構わない。また、その建物は新設の建物であっても、また集合住宅に限ることなく、中高層住宅やオフィスビル、ホール、競技場等の建物であっても構わない。
【００３２】
さらに上記実施形態においては、ケージ１０ｅの停止位置を各階床の中間位置に設けられた踊り場としたがこれに限らず、各階床を停止位置としても構わない。
【００３３】
【発明の効果】
以上、説明したように、本発明のエレベータ設備によれば、建物とエレベータシャフトとを連結する連絡通路は、建物の階段室の各踊り場とエレベータシャフトの各開口との間にそれぞれ設けられるとともに、建物に沿う方向の両側部が開放されて採光可能に構成されているので、開放された部分から階段室およびエレベータシャフトの周辺に十分に採光することができることになる。
従って、階段利用者やエレベータ設備の利用者の足元を明るくすることができるので、階段利用者にとっては階段が昇降しやすくなり、エレベータ設備の利用者にとってはエレベータ設備を不自由なく利用することができる。また、エレベータ設備の扉前面やその近傍に備えられる操作パネルが陰になって操作性が悪化するようなことはなく、操作パネルの操作性を高めることができる。さらに、エレベータ設備と階段室とを対面させて間隔を隔てて採光する場合と比較して、エレベータ設備を設置するための専用面積を狭くすることができるので、限られた敷地を有効に活用することができる。
【００３４】
さらに、ケージがその床面が階段室の踊り場と同じ高さになる位置で停止したときに、エレベータシャフトの扉の正面に屈折階段の下り側の階段が位置しないように、エレベータシャフトの一側面と建物の外面とのなす角度が設定され、車椅子に乗った利用者やベビーカー等が誤って飛び出しても必ず停止するように配慮されているので、車椅子に乗った利用者やベビーカーを押す利用者などが安心して利用できる。
【００３５】
さらに、エレベータシャフトの一側面と建物の外面とのなす角度は、エレベータシャフトの扉と窓及び玄関扉とが正対しない角度に設定されているので、エレベータ設備の利用者に居室内を見られるようなことはなく、居室使用者のプライバシーを守ることができる。また、エレベータ設備の利用者が、居室内の使用者と目を合わせて対応に困惑するようなこともなく、快適に利用することができる。
【図面の簡単な説明】
【図１】本発明のエレベータ設備の一実施形態を示す配置を示す平面図である。
【図２】図１のＡ−Ａ断面図である。
【図３】本実施形態の外観を示す概念図である。
【図４】本発明のエレベータ設備の他の配置例を示す平面図である。
【符号の説明】
１０  エレベータ設備
１０ｃ  側面
１０ｄ  扉
１２  集合住宅（建物）
１２ａ  階床
１２ｃ  外面（連結面）
１４  階段室
１６  住戸（居室）
１６ｃ  外壁
【図１】
0003837271.tif 000002
【図２】
0003837271.tif 000003
【図３】
0003837271.tif 000004
【図４】
0003837271.tif 000005